(57)【要約】【課題】おもちゃまたは遊びアイテムでもあるブックカバーを提供する。【解決手段】本のための取り外し可能なカバーは、本体を持った第一の部材を有している。本体は第一のパネルを有し、第一のパネルは本体と共に第一のポケットを形成している。取り外し可能なカバーは、本体にちょうつがい的に連結されていて第一の位置と第二の位置の間で旋回する第二の部材を有している。第一の位置は、第二の部材が第一の部材の上にある閉じた位置と定義される。第二の位置は、第一の部材が旋回されて第二の部材に対して持ち上げられた開いた位置と定義される。第二の部材は第二のパネルを有し、第二のパネルは第二の部材と共に第二のポケットを形成している。本は第一のポケットの中と第二のポケットの中にあり、カバーは本の上に配置される。【選択図】      図１
2006056239.tif 000002
【特許請求の範囲】
【請求項１】
本のための取り外し可能なカバーであり、
本体を有している第一の部材を備えており、前記本体は第一のパネルを有し、前記第一のパネルは前記本体と共に第一のポケットを形成しており、
前記本体にちょうつがい的に連結された第一の位置と第二の位置の間で旋回する第二の部材をさらに備えており、前記第一の位置は、前記第二の部材が前記第一の部材の上にある閉じた位置と定義され、前記第二の位置は、前記第一の部材が旋回されて前記第二の部材に対して持ち上げられた開いた位置と定義され、前記第二の部材は第二のパネルを有し、前記第二のパネルは前記第二の部材と共に第二のポケットを形成しており、本は第一のポケットの中と第二のポケットの中にあり、カバーは本の上に配置される。
【請求項２】
請求項１の取り外し可能なカバーにおいて、前記第二の部材が縫い線によって前記第一の部材に連結されている。
【請求項３】
請求項１の取り外し可能なカバーにおいて、前記第一の部材と前記第二の部材があるパターンに形成されている。
【請求項４】
請求項１の取り外し可能なカバーにおいて、前記第一の部材がコネクターによって前記第二の部材に取り外し可能に連結される。
【請求項５】
請求項４の取り外し可能なカバーにおいて、前記コネクターが、フックアンドループファスナーと接着剤と機械的ファスナーとフックとボタンとこれらのあらゆる組み合わせとからなるグループから選択されている。
【請求項６】
請求項１の取り外し可能なカバーにおいて、前記第一のパネルと前記第二のパネルがそれぞれ布材料であり、前記第一のパネルは第一の辺と第二の辺と第三の辺とが前記第一の部材に縫い付けられており、前記第二のパネルは第四の辺と第五の辺と第六の辺とが前記第二の部材に縫い付けられている。
【請求項７】
請求項１の取り外し可能なカバーにおいて、前記第一の部材と前記第二の部材がそれぞれ変形可能な部材である。
【請求項８】
請求項３の取り外し可能なカバーにおいて、前記パターンがレースカーの特徴を有している。
【請求項９】
請求項１の取り外し可能なカバーにおいて、前記第二の部材がフラップを有し、前記フラップは、前記第二の部材を前記第一の部材に連結するための前記フックアンドループファスナーの一部を有している。
【請求項１０】
請求項９の取り外し可能なカバーにおいて、前記フラップが把持部分を有している。
【請求項１１】
第一のとじ部と第二のとじ部を有している本のための取り外し可能なブックカバーであり、
本体を有している第一の変形可能な部材を備えており、前記第一の変形可能な部材には第一のパネルが連結されていて、前記第一のパネルは第一の辺と第二の辺と第三の辺と第四の辺とを有し、前記第一の辺と前記第二の辺と前記第三の辺とが前記第一の変形可能な部材に連結されていて、前記第一の変形可能な部材が前記本体と共に前記第四の辺に第一のポケットを形成しており、
前記本体にちょうつがい的に連結されていて第一の位置と第二の位置から旋回する第二の変形可能な部材をさらに備えており、前記第一の位置は、前記第二の変形可能な部材が前記第一の変形可能な部材の上にある閉じた位置と定義され、前記第二の位置は、前記第一の変形可能な部材が旋回されて前記第二の変形可能な部材に対して持ち上げられた開いた位置と定義され、前記第二の変形可能な部材は、第五の辺と第六の辺と第七の辺と第八の辺とを持った第二のパネルを有しており、前記第五の辺と前記第六の辺と前記第七の辺とが前記第二の変形可能な部材に連結されており、前記第二のパネルは前記第二の変形可能な部材と共に前記第八の辺に第二のポケットを形成しており、第一のとじ部は選択的に第一の変形可能な部材の第一のポケットの中にあり、第二のとじ部は選択的に第二の変形可能な部材の第二のポケットの中にあり、
取り外し可能なカバーは本の上に配置されており、
前記第一の変形可能な部材を前記第二の変形可能な部材に取り外し可能に連結するためのファスナーをさらに備えている。
【請求項１２】
請求項１１の取り外し可能なブックカバーにおいて、前記第一の変形可能な部材が縫い線によって前記第二の変形可能な部材に連結されている。
【請求項１３】
請求項１１の取り外し可能なブックカバーにおいて、前記ファスナーがフックアンドループファスナーである。
【請求項１４】
請求項１１の取り外し可能なブックカバーにおいて、前記第一の変形可能な部材と前記第二の変形可能な部材がそれぞれ視覚的に特定可能なパターンを持った外部表面を有している。
【請求項１５】
請求項１１の取り外し可能なブックカバーにおいて、前記第一の変形可能な部材の内部空間内に配置された弾力のある部材をさらに備えている。
【請求項１６】
請求項１１の取り外し可能なブックカバーにおいて、前記第一のパネルが第一の位置において前記第二の変形可能な部材の前記第二のパネルに実質的に向かい合っている。
【請求項１７】
請求項１３の取り外し可能なブックカバーにおいて、前記ファスナーが前記第二の変形可能な部材の側面に配置されている。
【請求項１８】
請求項１５の取り外し可能なブックカバーにおいて、前記内部空間が柔らかい材料を前記内部空間内に有しており、前記柔らかい材料が発泡体と布と布詰め物とパッキングと紙とコットンとそれらのあらゆる組み合わせとから成るグループから選択されている。
【請求項１９】
情報的トピックを有しているページを持った本のためのブックカバーであり、
第一の詰まった部材が旋回軸によって第二の詰まった部材に連結されており、前記第一の詰まった部材と前記第二の詰まった部材は外部表面を有し、前記外部表面はあるパターンを有しており、前記ブックカバーは、本の情報トピックとして実質的に示唆的である前記パターンを有しており、前記ブックカバーは、本の外面表面の硬さに比べて柔らかく、前記ブックカバーは、子供がおもちゃとして扱ってそれと一緒に遊び得るための物体である。
【請求項２０】
請求項１９のブックカバーにおいて、前記第一の詰まった部材が縫い線によって前記第二の詰まった部材に連結されており、前記第一の詰まった部材と前記第二の詰まった部材はそれぞれ柔らかい材料が詰められた内部空間を有し、前記柔らかい材料が発泡体と布と布詰め物とパッキングと紙とコットンとそれらのあらゆる組み合わせとから成るグループから選択されている。
【発明の詳細な説明】
【技術分野】
【０００１】
本発明は本のためにカバーに関している。特に、本発明は装飾的アイテムあるブックカバーに関し、そのアイテムは三次元的なおもちゃであってよい。
【背景技術】
【０００２】
ブックカバーは公知である。そのようなブックカバーのひとつは、Ｐｅｋｅｒに付与された米国特許第６，２５７，６２２Ｂ１号に開示されている布製ブックカバーである。Ｐｅｋｅｒのブックカバーは、背部と前側表紙部と後側表紙部とを持ったスパンデックス弾性布である。前側表紙部と後側表紙部はそれぞれ第一のポケットと第二のポケットを有している。背部は、ブックカバーの外面側に第三のポケットを有している。第三のポケットは、ペンや鉛筆や定規などを保持するために作られている。この布製ブックカバーはほぼ直角の矩形で、本とほぼ同じに形づくられている。
【特許文献１】米国特許第４，５９７，７４３号
【特許文献２】米国特許第４，８３２，６４８号
【特許文献３】米国特許第４，８５３，９９４号
【特許文献４】米国特許第４，８５０，９２４号
【特許文献５】米国特許第４，８７４，３４０号
【特許文献６】米国特許第５，０５９，１４９号
【特許文献７】米国特許第４，９０９，５４２号
【特許文献８】米国特許第５，４７２，３６４号
【特許文献９】米国特許第５，７６５，２４５号
【特許文献１０】米国特許第５，９４４，５７７号
【特許文献１１】米国特許第５，９５１，３５８号
【特許文献１２】米国特許第６，２４７，７３０号
【特許文献１３】米国特許第６，２５４，４５０号
【特許文献１４】米国特許第６，２５７，６２２号
【特許文献１５】米国特許第６，３６４，３６１号
【特許文献１６】Ｄｅｓ．３０５，７５８
【特許文献１７】Ｄｅｓ．３２５，０５９
【特許文献１８】Ｄｅｓ．４１５，８００
【特許文献１９】Ｄｅｓ．４１３，３６２
【特許文献２０】Ｄｅｓ．４２３，０１６号
【特許文献２１】米国特許出願公開第２００２／０１９７９３０号
【特許文献２２】米国特許出願公開第２００２／０１９７９３０号
【発明の開示】
【発明が解決しようとする課題】
【０００３】
従来技術のブックカバーは限定された有用性を有している。カバーは本を火と水から守る利益を与えるが、一般にそのほかの機能性は欠いている。
【０００４】
また、消費者は、それが魅力的なので、三次元的なおもちゃまたは遊び物品である形状を有するカバー付きの本を衝動的に購入するかも知れない。さらに、子供たちは一般に、おもちゃのように見えると同時におもちゃとして使用できるブックカバーが欲しがるだろう。この場合、子供は、その中に本が入っているカバーで遊び、それから後に本を読んでよい。
【０００５】
従って、おもちゃまたは遊び物品となり得るブックカバーの要望がある。
【０００６】
おもちゃまたは遊びアイテムでもあるブックカバーを提供することが本発明の目的である。
【０００７】
本に対する着脱が容易な構造の一対の部材を持ったブックカバーを提供することが本発明の別の目的である。
【０００８】
一対の変形可能なまたはスポンジタイプの部材を有するブックカバーを提供することが本発明のさらに別の目的である。
【０００９】
第一の変形可能な部材が第二の変形可能な部材に対して旋回されてその中の本が現われるブックカバーを提供することが本発明のまた別の目的である。
【００１０】
その外面側に美的に心地よいデザインまたはパターンを有しており、第一の変形可能な部材が第二の変形可能な部材に対して旋回されてその中の本が現われるブックカバーを提供することが本発明のさらなる目的である。
【課題を解決するための手段】
【００１１】
これらのまたそのほかの目的と利点は、本発明による本のための取り外し可能なカバーによって達成される。取り外し可能なカバーは、本体を持った第一の部材を有している。本体は第一のパネルを有している。第一のパネルは本体と共に第一のポケットを形成している。取り外し可能なカバーはまた、本体にちょうつがい連結された第一の位置と第二の位置の間で旋回する第二の部材を有している。第一の位置は、第一の部材の上に第二の部材がある閉じた位置である。第二の位置は、第一の部材が旋回されて第二の部材に対して持ち上げられた位置である。第二の部材は第二のパネルを有し、第二のパネルは第二の部材と共に第二のポケットを形成している。本の第一のとじ部は第一のポケットの中にあり、本の第二のとじ部は第二のポケットの中に配置可能であり、本の第一と第二のとじ部は取り外し可能なカバーの中にある。
【発明の効果】
【００１２】
本発明によれば、おもちゃまたは遊びアイテムでもあるブックカバーが提供される。
【発明を実施するための最良の形態】
【００１３】
図面、特に図１を参照すると、参照符号１０によって一般に表わされる本発明のブックカバーが示されている。ブックカバー１０は三次元的な形状をしている。ブックカバー１０の形状は、三次元的なおもちゃまたは遊びアイテムを提供しさえすればどのような形状またはパターン１２であってもよい。ブックカバー１０は好ましくは実質的に本の情報トピックを示すパターン１２を有している。この好適な実施形態では、ブックカバー１０は、その中に配置される本のトピックと同じパターン１２を有している。好ましくは、ブックカバー１０は柔らかく弾力がある。従って、ブックカバー１０は、子供がおもちゃとして扱ったり遊んだりし得るパターン１２または物体である。
【００１４】
図１と図２の実施形態を参照すると、パターン１２はおもちゃの自動車である。上述したように、パターン１２はレースカー、自動車、動物、オートバイ、輸送機関装置、キャラクター、そのほかの商業的に入手可能な公知のあらゆるパターンであってもよいことを当業者は認めるであろう。本発明のこの実施形態では、パターン１２は、レースカーナンバーと、レースカー文字と、フロントガラスと後部窓とサイド窓とタイヤとドアの画像とを有している。
【００１５】
ブックカバー１０の後面図である図３を参照すると、ブックカバーは好ましくは第一の部材またはベース部材１４と第二の部材または上側部材１６を有している。好ましくは、第一の部材１４は第二の部材１６に連結され、それらの間に空間１８を定めている。好ましくは、第一の部材１４は図６に明瞭に示される旋回軸２０によって第二の部材１６に連結されている。この実施形態では、旋回軸２０は第一の部材１４を第二の部材１６に連結する縫い線である。旋回軸２０は本の開閉に対応する開閉を達成するための公知のそのほかのあらゆるタイプの旋回軸であってもよいことを当業者は認めるべきである。
【００１６】
図３と図４を参照すると、第一の部材１４は好ましくはベース２２を有している。第一の部材１４は、底部２４すなわちテーブルや地面などの物質と接触する表面を有している。底面２４は好ましくは比較的平らである。ブックカバー１０は弾力のある部材２６を有している。図５に示される弾力のある部材２６は、ベース２２に連結されても、あるいはベース２２の中に形成されてもよい。弾力のある部材２６はブックカバー１０に弾力性と支えとを与える。弾力のある部材２６は、発泡体または木、板紙、ボール紙部材、熱可塑性物質、金属またはアルミニウム板、熱硬化物質、重合体、公知のそのほかのあらゆる軽量またはいくぶん柔軟な部材で作られてよい。最も好ましくは、弾力のある部材２６は打ち抜きプラスチック板である。
【００１７】
第一の部材１４は好ましくは内部１５を有している。第一の部材１４の内部１５は好ましくは材料、好ましくは柔らかい材料で満たされている。柔らかい材料は、これに限定されないが、発泡体または布、布詰め物、タッキング、紙、コットン、これらのあらゆる組み合わせを含む公知のいかなる材料でもよい。その中の柔らかい材料は好ましくはブックカバー１０をクッションにし、小さい子供による扱いに適したブックカバーにする。第二の部材１６は、第一の部材１４に似ており、好ましくは第二の内部３４を有している。第二の部材１６の第二の内部３４も好ましくは同じく柔らかい材料で満たされている。第二の内部空間３４内の柔らかい材料は内部空間１５内の柔らかい材料と同じであってよく、あるいは異なる柔らかい材料であってもよい。第二の内部空間３４も好ましくはブックカバー１０をクッションにし、子供がブックカバーをおもちゃとして扱うのを可能にする。
【００１８】
図６を参照すると、第一の部材１４は好ましくは狭いへこみ２８を有している。へこみ２８は、閉じた位置において第二の部材１６と接触する第一の部材１４の第一の上側３０に形成されている。へこみ２８は好ましくは本の厚さを補足する高さを有している。へこみ２８は、本がへこみの中にもたれ、また第二の部材１６が第一の部材１４の上にもたれそれらの間に本が美的に心地よく収まるのを可能にする。
【００１９】
第二の部材１６は好ましくはブックカバー１０の第二の上側３２を形づくる。第二の上側３２は好ましくはパターン１２を形づくる湾曲を有している。しかし、ブックカバー１０はこれをつかむに適した公知のいかなる心地よい形状に形づくられてもよいことを当業者は認めるべきである。
【００２０】
第二の部材１６は好ましくはユーザーによりこれに引っ張り力が与えられることにより旋回軸２０の周りに第一の位置から第二の位置まで旋回する。第二の部材１６は好ましくは旋回軸２０の周りに矢印Ａの方向に旋回してそれらの間に空間１８を露出させる。
【００２１】
それらの間の空間１８は第一の部材１４中のへこみ２８に隣接している。好ましくは、第一の部材１４のへこみ２８は好ましくは本がその中にもたれるのを許す第一の部材中の鋭いくぼみである。へこみ２８は好ましくはほぼ直角に形づくられていて、その中に本を受けるために補足的な大きさを有している。へこみ２８は、別の実施形態において、ペーパーバック本やハードカバー本や雑誌などの異なる大きさの本を埋め合わせるため、より大きくてもまたはより小さくてもよいことを当業者は認めるべきである。
【００２２】
図７を参照すると、第一の部材１４は好ましくはその中に第一のブックカバー部分３６を有している。第一のブックカバー部分３６は好ましくはその三辺が縫い付けられていて、ブックカバーまたは表紙を受け入れるために開放した一辺を与える。第一のブックカバー部分３６は好ましくは布材料から作られ、縫い付け作業によって第一の部材１４の第一の上側３０に連結されている。しかしながら、第一のブックカバー部分３６はモールディング作業から形成されてもよいし、また接着剤で接着する、あるいは第一の部材の１４と一体化するなどの連結作業によって形成されてもよいことを当業者は認めるべきである。好ましくは、第一のブックカバー部分３６は、そこに第一のポケット３８を形成するために第一の部材１４の第一の上側３０に連結される公知のどんな部材であってよい。好ましくは、第一のポケット３８は選択的に本の第一のカバーまたは表紙を保持する。
【００２３】
第二の部材は、第二のブックカバー部分４２を持った第二の底側４０を有している。第二のブックカバー部分４２も好ましくは第二の部材の１４の第二の底側４０に縫い付けられた比較的薄い生地である。第二のブックカバー部分４２も好ましくはその三辺が縫い付けられていて、ブックカバーまたは表紙を受け入れるために開放した一辺を与える。第二のブックカバー部分４２は第二のポケット４４を形成するための公知のどんな部材であってもよい。好ましくは、第二のポケット４４は選択的に本の第二のカバーまたは表紙を保持する。最も好ましくは、第一のブックカバー部分３６と第二のブックカバー部分４２は互いに共働して、他方に対して補足的な位置に配置される。好ましくは、ブックカバー１０が開いた位置にあるとき、第一のブックカバー部分３６と第二のブックカバー部分４２は実質的に互いに隣接していて配置される。この手法では、本の供給者が本を開き、本のそれぞれのカバーを第一のブックカバー部分３６と第二のブックカバー部分４２の中に置いてもよい。その後、本の供給者は第二の部材１６に対して第一の部材１４を空間１８内の本と共に閉じ、ブックカバー１０を取り外し可能なようにして売り物のカウンターの上に置いてもよい。
【００２４】
ブックカバー１０はさらにフラップ４６を有している。好ましくは、フラップ４６は、その端部が第二の部材１６に連結された弾力のある部材である。フラップ４６は把持部分を有している。フラップ４６は第二の部材１６を第一の位置から第二の位置まで選択的に扱って本をユーザーに見せユーザーが本を読めるようにする。再び図３を参照すると、フラップ４６は好ましくはそれに連結されたコネクター４８を有している。コネクター４８は好ましくはベルクローファスナーである。あるいは、コネクター４８は別のコネクター、例えば、機械的コネクター、フック、接着剤、それらのあらゆる組み合わせからなるグループから選択されたものであってもよい。コネクター４８は、ブックカバー１０が地面から持ち上げられて本をその中に都合よく保持する際に、本が空間１８の中に保持されるのを容易にする。コネクター４８は、ブックカバー１０がおもちゃアイテムとしての使用すなわち子供による遊びの間に振られるときであっても、第二の部材１６に対して第一の部材１４が閉じられているのを維持するに十分に強くあるべきであると当業者は認識すべきである。好ましくは、フラップ４６はコネクター４８の一部すなわちフック材料のセクションを有している。フラップ４６上のフック材料のセクションはそして第一の部材１４上にループ材料のセクションと合う。あるいは、フック材料のセクションは第一の部材１４の上に配置されてもよく、またループ材料のセクションはフラップ４６の上に配置されてもよい。
【００２５】
第一の部材１４と第二の部材１６は好ましくはパターン１２に形成されている。パターン１２は、本の主題および／またはトピックに応じてブックカバー１０を美的に心地よいものにし、そして、多分、本とブックカバーの購入の刺激を促進するきっかけになり得ることを当業者は認めるべきである。また、ブックカバー１０はそれ自体がおもちゃまたは他の遊びアイテムになり得る。ブックカバー１０が二重の機能を有していることを当業者はさらに認めるべきである。
【００２６】
この分野における問題の一つは、従来技術のブックカバーは子供たちの本に向けられているけれども、遊びアイテムとして使用される子供たちの本とするには別の失敗があったということである。本発明のブックカバー１０は子供によって扱われるに安全であり、そして実際に子供にとって心地よく魅力的である。本発明のこの側面は、周知のブックカバーと大きく対照を成す利益である。
【００２７】
これまでの記述は単に本発明の例示に過ぎないと理解されるべきである。本発明から逸脱しない範囲において様々な代替と変更が当業者によって考案され得る。従って、本発明はそのような代替と変更と相違のすべてを受け入れるものと意図される。
【図面の簡単な説明】
【００２８】
【図１】本発明のブックカバーの閉じた位置にある側面図である。
【図２】図１のブックカバーの閉じた位置にある上面図である。
【図３】図２のブックカバーの部分的に開いた位置にある後面図である。
【図４】図１のブックカバーの底面図である。
【図５】図４の４−４線に沿ったブックカバーの断面図である。
【図６】図１のブックカバーの開いた位置にある別の側面図である。
【図７】図２のブックカバーの完全に開いた位置にある上面図である。
【符号の説明】
【００２９】
１０…ブックカバー、１２…パターン、１４…ベース部材、１５…内部空間、１６…上側部材、１８…空間、２０…旋回軸、２２…ベース、２４…底部、２６…部材、３０…上側、３２…上側、３４…内部空間、３６…ブックカバー部分、３８…ポケット、４０…底側、４２…ブックカバー部分、４４…ポケット、４６…フラップ、４８…コネクター。
【図１】
2006056239.tif 000003
【図２】
2006056239.tif 000004
【図３】
2006056239.tif 000005
【図４】
2006056239.tif 000006
【図５】
2006056239.tif 000007
【図６】
2006056239.tif 000008
【図７】
2006056239.tif 000009
【外国語明細書】
2006056239000001.pdf